(57)【要約】【課題】たとえ正規の鍵等が悪用されたとしても不正開放を行った者に関する記録を取得可能で、より効果的な不正開放の監視を行うことができるキャビネット監視装置を提供する。【解決手段】各キャビネット２毎に取り付けられた錠装置３と、キャビネット２、２・・設置部周辺を撮像する監視カメラ４と、各錠装置３における施解錠動作及び監視カメラ４における撮像動作を制御するコンピュータ５とでキャビネット監視装置１を構成する。そして、コンピュータ５は、錠装置３から解錠信号を受信すると、受信時刻、及び解錠とされた錠装置３等を記憶手段２２に記憶するとともに、監視カメラ４へ監視信号を送信し、監視カメラ４によるキャビネット２の扉部付近の撮像動作を開始させる。さらに、監視カメラ４により撮像された撮像データを、表示手段にリアルタイムで表示するとともに、記憶手段に上記受信時刻等と関連付けて随時記憶する。【選択図】図１
2007328601.tif 000002
【特許請求の範囲】
【請求項１】
キャビネットの扉部における施解錠状態を検知する施解錠検知手段と、前記キャビネットの扉部付近を撮像する撮像手段と、前記施解錠検知手段及び撮像手段との間で各種データを送受信可能に接続された監視制御装置とからなり、
前記監視制御装置は、前記施解錠検知手段により前記扉部において解錠状態が検知されると、前記撮像手段から受信した撮像データを表示手段に表示することを特徴とするキャビネット監視装置。
【請求項２】
キャビネットの扉部の開閉状態を検知する開閉検知手段と、前記キャビネットの扉部付近を撮像する撮像手段と、前記開閉検知手段及び撮像手段との間で各種データを送受信可能に接続された監視制御装置とからなり、
前記監視制御装置は、前記開閉検知手段により前記扉部の開放が検知されると、前記撮像手段から受信した撮像データを表示手段に表示することを特徴とするキャビネット監視装置。
【請求項３】
監視制御装置は、施解錠検知手段により扉部において解錠状態が検知される又は開閉検知手段により扉部の開放が検知されると、撮像手段から受信した撮像データを検知日時に関連付けて記憶手段に記憶することを特徴とする請求項１又は２に記載のキャビネット監視装置。
【発明の詳細な説明】
【技術分野】
【０００１】
本発明は、キャビネットの開閉状況を監視するためのキャビネット監視装置に関するものである。
【背景技術】
【０００２】
従来より、複数のキャビネットにおける施解錠動作及び開閉状況を、リモコンやコンピュータ等を用いて総合的に管理するシステムが考案されており、たとえば特許文献１のシステムでは、各キャビネットの開閉状況を、コンピュータのモニターにて確認可能とするとともに、各キャビネットの施解錠動作を、リモコン等を介することによりコンピュータにて制御可能としている。
【０００３】
【特許文献１】特開２００３−１３８８１２号公報
【発明の開示】
【発明が解決しようとする課題】
【０００４】
しかしながら、上記特許文献１に記載されているようなシステムでは、正規の手順で施解錠操作が行われると、コンピュータ等にキャビネットの解錠時刻等が記憶されるのみである。したがって、キャビネットを開放する権限を有さない者等に正規の鍵等が用いられた場合には、該事態を把握するすべがないという課題を抱えている。
また、無理矢理こじ開ける等の不正開放が行われると、警報ランプを点滅・点灯させたり、外部への通信を行ったりする等してキャビネットの不正開放の防止を図るシステムもある。しかしながら、該システムにおいても、上述したように正規の鍵等が用いられるような場合には、不正開放を行ったものについての記録が解錠時刻以外に何ら残らない。したがって、上記システム同様、正規の鍵等が用いられた場合における監視に課題を抱えている。
【０００５】
そこで、本発明は、上記課題に鑑みなされたものであって、たとえ正規の鍵等が悪用されたとしても不正開放を行った者に関する記録を取得可能で、より効果的な不正開放の監視を行うことができるキャビネット監視装置を提供しようとするものである。
【課題を解決するための手段】
【０００６】
上記目的を達成するために、本発明のうち請求項１に記載の発明は、キャビネットの扉部における施解錠状態を検知する施解錠検知手段と、前記キャビネットの扉部付近を撮像する撮像手段と、前記施解錠検知手段及び撮像手段との間で各種データを送受信可能に接続された監視制御装置とからなり、前記監視制御装置は、前記施解錠検知手段により前記扉部において解錠状態が検知されると、前記撮像手段から受信した撮像データを表示手段に表示することを特徴とする。
また、上記目的を達成するために、本発明のうち請求項２に記載の発明は、キャビネットの扉部の開閉状態を検知する開閉検知手段と、前記キャビネットの扉部付近を撮像する撮像手段と、前記開閉検知手段及び撮像手段との間で各種データを送受信可能に接続された監視制御装置とからなり、前記監視制御装置は、前記開閉検知手段により前記扉部の開放が検知されると、前記撮像手段から受信した撮像データを表示手段に表示することを特徴とする。
請求項３に記載の発明は、請求項１又は２の発明において、監視制御装置は、施解錠検知手段により扉部において解錠状態が検知される又は開閉検知手段により扉部の開放が検知されると、撮像手段から受信した撮像データを検知日時に関連付けて記憶手段に記憶することを特徴とする。
【発明の効果】
【０００７】
請求項１又は２に記載の発明によれば、キャビネットの扉部における施解錠状態、又はキャビネットの扉部の開閉状態に応じて、撮像手段により撮像されたキャビネットの扉部付近の撮像データを表示手段にて表示する。したがって、キャビネットの扉部を開放している作業者が誰であるのか等といったことを容易に確認することができ、たとえば開放する権限を有していない者等による正規の鍵やＩＣカードの悪用といった事態をも監視可能で、結果として該事態を効果的に防止することができる。
また、請求項３に記載の発明によれば、施解錠検知手段により扉部において解錠状態が検知される又は開閉検知手段により扉部の開放が検知されると、撮像手段から受信した撮像データを検知日時に関連付けて記憶手段に記憶するため、たとえばリアルタイムで監視しにくいような夜間や休日におけるキャビネット扉部の開放の有無を、後日、容易に把握することができる上、開放時の扉部付近の状況を、表示手段等にて確認することができ、上記正規の鍵やＩＣカードの悪用といった事態を一層効果的に防止することができる。
【発明を実施するための最良の形態】
【０００８】
以下、本発明の一実施形態となるキャビネット監視装置について図面を基に説明する。
【０００９】
図１は、キャビネット監視装置１全体を模式的に示した説明図であり、図２は、キャビネット監視装置１のブロック構成図である。
キャビネット監視装置１は、各キャビネット２毎に取り付けられた錠装置３と、キャビネット２、２・・設置部周辺を撮像する監視カメラ４と、各錠装置３における施解錠動作及び監視カメラ４における撮像動作を制御するコンピュータ（監視制御装置）５とからなり、コンピュータ５と錠装置３、３・・及び監視カメラ４とを電気的に接続してなる。尚、コンピュータ５と各錠装置３及び監視カメラ４との電気的接続は、無線であってもよいし、有線であってもよい。
【００１０】
錠装置３は、キャビネット２の扉部を施錠／解錠する電気錠１１と、ＩＣタグを内蔵したＩＣカードの識別情報を読み取るための読取部１２と、読み取った識別情報の適否の判断や電気錠１１の施解錠動作の制御を行う制御部（施解錠検知手段）１３と、コンピュータ５との間で各種信号を送受信するための送受信部１４とを備えている。制御部１３には、ＩＣカードの識別情報が予め入力された記憶部１５が接続されており、読み取った識別情報と記憶部１５に予め記憶されている識別情報との一致／不一致を判断して、識別情報の適否を判断する。そして、ＩＣカードの識別情報が適正であると判断されると電気錠１１を動作させて解錠とするとともに、コンピュータ５への解錠信号の送信を行う。尚、記憶部１５への識別情報の入力、識別情報の修正や消去等はコンピュータ５を介して行われる。
また、制御部１３には、キャビネット２の扉部の開閉状況を検知可能な開閉センサ（開閉検知手段）１６及びタイマ１７が接続されている。そして、制御部１３は、電気錠１１が解錠状態である場合に、開閉センサ１６の検知信号をもとに扉部が所定時間以上に亘って閉塞状態にあると判断すると、電気錠１１を動作させて扉部を施錠する。
【００１１】
監視カメラ４は、キャビネット２、２・・の扉部周辺を撮像可能な姿勢で天井等に固着されており、コンピュータ５からの指令に応じてキャビネット２、２・・の扉部周辺の撮像を行うとともに、撮像データをコンピュータ５へとリアルタイムで送信する。
【００１２】
コンピュータ５は、キーボードやマウス等といった入力手段２４、モニター等といった表示手段２５、錠装置３及び監視カメラ４等との間で各種信号やデータの送受信を行うための送受信手段２６、及び送受信手段２６を介しての送受信動作や表示手段２５における表示動作等を制御することにより監視カメラ４を利用した監視動作を制御する監視制御手段（たとえば、ＣＰＵ等）２１等を備えてなるものであって、監視制御手段２１は、ＲＡＭやＲＯＭ、ＥＥＰＲＯＭ等といった記憶手段２２や時刻を計時するタイマ２３等と接続されている。尚、コンピュータ５には、複数の錠装置３、３・・が、送受信手段２６を介して並列に接続されており、コンピュータ５の入力手段２４等を利用して、各錠装置３の記憶部１５へＩＣカードの識別情報等を個々又は一斉に入力可能としている。また、コンピュータ５は、電源回路２７を介して接続される外部電源により動作する。
【００１３】
上述したようなキャビネット監視装置１によるキャビネット２、２・・の施解錠、及びその際の監視について、図３をもとに以下説明する。図３は、キャビネット監視装置１による施解錠動作、及びその際の監視動作について示したフローチャート図である。
通常、各キャビネット２の錠装置３は、電気錠１１を施錠状態とし、キャビネット２の扉部を開放不可能な状態のまま維持している。このようなキャビネット２、２・・に対し、作業者がＩＣカードを所望のキャビネット２に設置されている錠装置３のカード挿入部に差し込む等して、読取部１２にてＩＣカードの識別情報が読み取られると、錠装置３の制御部１３は、読み取った識別情報と記憶部１５に予め記憶されている識別情報とが一致するか否か、すなわち識別情報が適当なものであるか否かを判断する（Ｓ１）。Ｓ１における判断の結果、識別情報が適当なものである場合、制御部１３は、施錠状態にある電気錠１１を動作させて解錠とし（Ｓ２）、キャビネット２の扉部を開放可能とするとともに、コンピュータ５へ解錠信号を送信する。尚、Ｓ１における判断の結果、識別情報が不適当なものである（すなわち、予め記憶部１５に入力されている識別情報と一致しない）場合、電気錠１１を施錠状態で維持したまま、再びＩＣカードの読取待機状態（スタート状態）へ戻る。
【００１４】
コンピュータ５は、錠装置３からの解錠信号を受信すると、受信時刻（すなわち、解錠時刻）、及び解錠とされた錠装置３（又はキャビネット２）を記憶手段２２に記憶するとともに、監視カメラ４へ監視信号を送信し、監視カメラ４によるキャビネット２の扉部周辺の撮像動作を開始させる（Ｓ３）。ここで、監視カメラ４により撮像された撮像データは、コンピュータ５の表示手段２５にリアルタイムで表示されるとともに、記憶手段２２に上記受信時刻等と関連付けられて随時記憶される。
【００１５】
その後、作業者による作業が終了し、キャビネット２の扉部が閉じられてから所定時間が経過する（上記開閉センサ１６等により検知される）と、制御部１３は、施錠条件が満たされた（Ｓ４における判断がＹＥＳ）として、電気錠１１を動作させて施錠状態とし（Ｓ５）、キャビネット２の扉部を開放不可能な状態とするとともに、コンピュータ５へ施錠信号を送信する。尚、錠装置３が電気錠１１を解錠としてから所定時間に亘って作業者によりキャビネットの扉部が開放されなかった場合にも、制御部１３は、上記施錠条件が満たされたと判断して上記施錠動作を行う。
【００１６】
コンピュータ５は、錠装置３からの施錠信号を受信すると、該施錠信号の受信時刻を上記解錠信号の受信時刻等と関連付けて記憶手段２２に記憶するとともに、監視カメラ４へ停止信号を送信し、監視カメラ４による撮像動作を停止させる（Ｓ６）。
以上のようにして、キャビネット監視装置１によるキャビネット２、２・・の施解錠、及びその際の監視は行われる。
【００１７】
上述したようなキャビネット監視装置１によれば、錠装置３の施解錠、すなわちキャビネット２の扉部の開閉動作に応じて、監視カメラ４によりキャビネット２の扉部周辺の撮像を行うとともに、監視カメラ４により撮像された撮像データをコンピュータ５の表示手段２５にてリアルタイムで表示を行うように構成している。したがって、キャビネット２の扉部を開放している作業者が誰であるのか等といったことを容易に確認することができ、たとえば開放する権限を有していない者等によるＩＣカードの悪用といった事態を効果的に防止することができる。
【００１８】
また、監視カメラ４による撮像データを、施解錠時刻や開放されたキャビネット２を特定する情報等に関連付けた状態でコンピュータ５の記憶手段２２に記憶するため、たとえばリアルタイムで監視しにくいような夜間や休日におけるキャビネット２扉部の開放の有無を、後日、容易に把握することができる上、開放時の状況を、表示手段２５等にて確認することができ、上記ＩＣカードの悪用といった事態を一層効果的に防止することができる。
【００１９】
さらに、監視カメラ４による撮像動作を、錠装置３における施解錠に応じて行うようにしているため、監視カメラ４による撮像を常時行うようなものと比較して、撮像データの管理等を行いやすく、使い勝手が良い上、記憶手段２２の容量等をも節約でき、合理的な構成とすることができる。
【００２０】
なお、本発明のキャビネット監視装置に係る構成は、上記実施の形態に記載した態様に何ら限定されるものではなく、錠装置、撮像手段、及び監視制御装置等に係る構成を、本発明の趣旨を逸脱しない範囲で、必要に応じて適宜変更することができる。
【００２１】
たとえば、上記実施の形態では、撮像手段となる監視カメラを１台しか設置していないが、死角がなくなるように複数の撮像手段を設置してもよいし、監視制御装置が、解錠とされたキャビネットの位置に応じて、動作させる撮像手段を選択するように構成することも可能である。
また、上記実施の形態では、全てのキャビネットの開閉に応じて撮像手段を動作させるような構成としているが、複数のキャビネットのうちの特定のキャビネットの開閉についてのみ撮像手段を動作させる等といった監視動作を行うように構成する（たとえば、監視制御装置にて撮像手段を用いた監視対象となるキャビネットを選択設定可能とし、受信した解錠信号の発信元に応じて撮像手段を動作させたり動作させなかったりする等）ことも可能である。該構成を採用することにより、たとえば重要な書類等が収納されているような特定のキャビネットについてのみ撮像手段を用いた監視を行うため、撮像データ等を記憶するための記憶手段の容量を節約することができる、撮像データの管理作業の容易化といった効果を奏することができる。
加えて、監視制御装置によって、撮像手段のパン（水平方向の首振り）及びチルト（垂直方向の首振り）を制御可能とし、解錠とされたキャビネットの位置に応じて、撮像手段のパン角及びチルト角を制御して撮像範囲を変更するように構成してもよい。
【００２２】
さらに、錠装置において施解錠する際、上記実施の形態に記載したように、ＩＣカードを利用した認証を行うのではなく、たとえば磁気カードを利用した認証を行ったり、コンピュータ等からパスワードを入力することによって、施解錠を行うようにしてもよい。
さらにまた、鍵を鍵穴に差し込んでキャビネットの扉部を開放するようなものにあっては、監視制御装置が、キャビネットの扉部の開放を開閉センサにより検知して、撮像手段による撮像動作のＯＮ／ＯＦＦを制御するように構成することも可能である。
【００２３】
またさらに、撮像手段による撮像動作は常に行う（すなわち、表示手段におけるリアルタイムでの表示は常に行う）ようにし、キャビネットの扉部の開閉に応じ、撮像データを記憶手段へ記憶するか否かを切り換えるような構成としてもよい。
加えて、スピーカや警告灯といった報知手段を設け、正規の手順をふまない不正開放（無理矢理こじ開ける等）については報知手段を利用した報知を行うようにしてもよいし、登録されていない識別情報を有するＩＣカードが利用された場合や長期間に亘って扉部が開放状態とされた場合等に、上記報知手段を利用した報知を行うようにしてもよい。
【図面の簡単な説明】
【００２４】
【図１】キャビネット監視装置全体を模式的に示した説明図である。
【図２】キャビネット監視装置のブロック構成図である。
【図３】キャビネット監視装置による施解錠動作、及びその際の監視動作について示したフローチャート図である。
【符号の説明】
【００２５】
１・・キャビネット監視装置、２・・キャビネット、３・・錠装置、４・・監視カメラ、５・・コンピュータ、１１・・電気錠、１２・・読取部、１３・・制御部、１４・・送受信部、１５・・記憶部、１６・・開閉センサ、１７、２３・・タイマ、２１・・監視制御手段、２２・・記憶手段、２４・・入力手段、２５・・表示手段、２６・・送受信手段、２７・・電源回路。
【図１】
2007328601.tif 000003
【図２】
2007328601.tif 000004
【図３】
2007328601.tif 000005